(57)【要約】      （修正有）【課題】容器蓋の中栓に対して蓋本体を所定方向に回転して閉塞壁における破断可能薄肉ラインを破断し、かくして閉塞壁に通過開口を生成した後において、かかる事実を明確に認識することができる容器蓋を提供する。【解決手段】中栓の装着壁には上方を向いた環状肩面４０が形成されていて、装着壁の、環状肩面よりも下方に位置する外周面８ａは環状肩面よりも上方に位置する外周面よりも半径方向外方に位置し、蓋本体の嵌合壁４６は装着壁の環状肩面よりも上方の部分に嵌合される形態にすると共に、蓋本体の嵌合壁の外周面の少なくとも下部と装着壁の環状肩面よりも下方の外周面とに、夫々、対応する形状変形部（４１ａと５９ａ）及び／又は印刷が配設し、中栓に蓋本体を所要とおりに装着した状態における対応する形状変形部又は印刷の相対的関係が、中栓に対して蓋本体が回転せしめられたことが明示されるようになる。【選択図】図９
2014189331.tif 000002
【特許請求の範囲】
【請求項１】
容器の口頸部に装着される合成樹脂製中栓と該中栓に装着される合成樹脂製蓋本体とから構成され、
該中栓は円形閉塞壁及び該閉塞壁の外周縁に接続された筒形装着壁を含み、該装着壁を容器の口頸部の外周面に嵌合せしめることによって容器の口頸部に装着され、該閉塞壁が容器の口頸部を閉塞し、
該蓋本体は円形覆壁及び該覆壁の外周縁に接続された筒形嵌合壁を含み、該嵌合壁を該中栓の該装着壁の外周面に嵌合することによって該中栓に回転自在に装着され、該覆壁が該中栓の該閉塞壁の上方に位置し、
該中栓の該閉塞壁には、破断可能薄肉ラインの破断によって部分的に分離されかつ変形される変形領域又は該破断可能薄肉ラインの破断によって完全に分離される分離領域が規定されており、
該変形領域又は該分離領域には被係止手段が付設されており、
該蓋本体の該覆壁には少なくとも１個の排出開口が形成されており、該覆壁の下面には該被係止手段と協働する係止手段が配設されており、
該中栓に該蓋本体を所要とおりに装着した状態において、該中栓に対して該蓋本体を所定方向に回転せしめると該係止手段が該被係止手段に係止せしめられ、該係止手段及び該被係止手段を介して該変形領域又は該分離領域に力が加えられ、該中栓の該破断可能薄肉ラインが破断されて該閉塞壁に通過開口が生成される容器蓋において、
該中栓の該装着壁には上方を向いた環状肩面が形成されていて、該装着壁の、該環状肩面よりも下方に位置する外周面は該環状肩面よりも上方に位置する外周面よりも半径方向外方に位置し、該蓋本体の該嵌合壁は該装着壁の該環状肩面よりも上方の部分に嵌合され、
該蓋本体の該嵌合壁の外周面の少なくとも下部と該装着壁の該環状肩面よりも下方の外周面とには、夫々、対応する形状変形部及び／又は印刷が配設されており、該中栓に該蓋本体を所要とおりに装着した状態における該対応する形状変形部又は印刷の相対的関係は、該中栓に対して該蓋本体が回転せしめられると変化せしめられ、これによって該中栓に対して該蓋本体が回転せしめられたことが明示される、
ことを特徴とする容器蓋。
【請求項２】
該中栓に該蓋本体を所要とおりに装着した状態において、該蓋本体の該嵌合壁の外周面の少なくとも下部と該中栓の該装着壁の該環状肩面よりも下方の外周面とは面一である、請求項１記載の容器蓋。
【請求項３】
該中栓と該蓋本体とには、相互に協働して該中栓に対して該蓋本体が該所定方向に所定角度以上回転せしめられると、該中栓に対して該蓋本体を反対方向に回転せしめて該中栓に対して該蓋本体を元の状態に戻すことを阻止する阻止手段が配設されている、請求項１又は２記載の容器蓋。
【請求項４】
該蓋本体の該装着壁の外周面上端部にはヒンジ手段を介して外蓋が、該蓋本体の該覆壁を覆う閉位置と該蓋本体の該覆壁を露呈せしめる開位置との間を旋回自在に連結されており、
該ヒンジ手段の周方向から周方向両側に９０度の角度間隔をおいた部位を周方向中心として周方向に３０乃至１００度の幅を有する２個の特定領域の各々において、該嵌合壁の外周面の少なくとも下部と該装着壁の該環状肩面よりも下方の外周面とに渡って連続して軸線方向に延び、該対応する形状変形部を構成する少なくとも１個の突条が配設されている、請求項１から３までのいずれかに記載の容器蓋。
【請求項５】
該２個の特定領域の一方に配設されている該突条の数及び／又は幅は他方に配設されている該突条の数及び／又は幅と異なる、請求項４記載の容器蓋。
【請求項６】
該蓋本体の該装着壁の外周面上端部にはヒンジ手段を介して外蓋が、該蓋本体の該覆壁を覆う閉位置と該蓋本体の該覆壁を露呈せしめる開位置との間を旋回自在に連結されており、
該ヒンジ手段の周方向から周方向両側に９０度の角度間隔をおいた部位を周方向中心として周方向に３０乃至１００度の幅を有する２個の特定領域の各々において、該嵌合壁の外周面下部と該装着壁の該環状肩面よりも下方の外周面とに渡って連続して軸線方向に延び、該対応する形状変形部を構成する少なくとも１個の平坦面が配設されている、請求項１から３までのいずれかに記載の容器蓋。
【請求項７】
該２個の特定領域の一方に配設されている該平坦面の数及び／又は幅は他方に配設されている該平坦面の数及び／又は幅と異なる、請求項６記載の容器蓋。
【請求項８】
該平坦面の、該所定方向に見て上流側縁には、該平坦面の上流側縁から半径方向内方に延びる付加平坦面が付設されている、請求項６又は７記載の容器蓋。
【請求項９】
該中栓に該蓋本体を所要とおりに装着した状態における該ヒンジ手段の下方に位置する特定領域において、該嵌合壁の外周面下部には文字「閉」の上半部を示す印刷が配設され、該装着壁の該環状肩面よりも下方の外周面には文字「閉」の下半部を示す印刷が配設され、これらの印刷が該対応する印刷を構成し、更に該中栓が該蓋本体に対して該所定方向に所定角度回転せしめられると該嵌合壁の該特定領域に整合して位置する、該装着壁の該環状肩面よりも下方の外周面の付加特定領域には文字「開」の下半部を示す印刷が配設されている、請求項１から３までのいずれかに記載の容器蓋。
【発明の詳細な説明】
【技術分野】
【０００１】
本発明は、容器の口頸部に装着される合成樹脂製中栓とこの中栓に装着される合成樹脂製蓋本体とから構成された容器蓋に関する。
【背景技術】
【０００２】
下記特許文献１には、容器の口頸部に装着される合成樹脂製中栓と該中栓に装着される合成樹脂製蓋本体とから構成された容器蓋が開示されている。中栓は円形閉塞壁及びこの閉塞壁の外周縁に接続された筒形装着壁を含み、装着壁を容器の口頸部の外周面に嵌合せしめることによって容器の口頸部に装着され、閉塞壁が容器の口頸部を閉塞する。蓋本体は円形覆壁及びこの覆壁の外周縁に接続された筒形嵌合壁を含み、嵌合壁を中栓の装着壁の外周面に嵌合することによって中栓に回転自在に装着され、覆壁が中栓の閉塞壁の上方に位置する。中栓の閉塞壁には、破断可能薄肉ラインの破断によって完全に分離される離脱領域が規定されており、この分離領域には被係止手段が付設されている。一方、蓋本体の覆壁には少なくとも１個の排出開口が形成されており、覆壁の下面には該被係止手段と協働する係止手段が配設されている。中栓に蓋本体を所要とおりに装着した状態において、中栓に対して蓋本体を所定方向に回転せしめると係止手段が被係止手段に係止せしめられ、係止手段及び被係止手段を介して分離領域に力が加えられ、中栓の破断可能薄肉ラインが破断されて分離領域が分離された閉塞壁に通過開口が生成される。
【先行技術文献】
【特許文献】
【０００３】
【特許文献１】特開２００５−５９９３３号公報
【発明の概要】
【発明が解決しようとする課題】
【０００４】
上記特許文献１に開示されている上記のとおりの容器蓋は、中栓の閉塞壁に指を当接せしめて衛生上の問題を発生せしめることなく、単に中栓に対して蓋本体を回転せしめることによって中栓の閉塞壁に形成されている破断可能薄肉ラインを破断して除去領域を閉塞壁から除去して通過開口を生成することができる。しかしながら、除去領域が閉塞壁から分離されて所謂屑片となり、かかる屑片が容器内に入り込んでしまう、或いは屑片を取り出して破棄するという煩雑な処理を遂行することが必要である。そこで、かような問題を解決する容器蓋として、本発明者等は、特願２０１２−２５３３９３号において、中栓の閉塞壁に、破断可能薄肉ラインの破断によって完全に分離されるのではなく、破断可能薄肉ラインの破断によって部分的に分離され且つ変形される変形領域が規定されており、中栓に蓋本体を所要とおりに装着した状態において、中栓に対して蓋本体を所定方向に回転せしめると係止手段が被係止手段に係止せしめられ、係止手段及び被係止手段を介して変形領域に力が加えられ、中栓の破断可能薄肉ラインが破断されて変形領域が部分的に分離されると共に変形されて閉塞壁に通過開口が生成される容器蓋を提案した。
【０００５】
而して、上記特許文献１に開示されている容器蓋或いは本発明者等が先に提案した容器蓋には、中栓に対して蓋本体を所定方向に回転して閉塞壁における破断可能薄肉ラインを破断し、かくして閉塞壁に通過開口を生成した後においても、かかる事実を明確に認識することができず、従って所謂悪戯によって閉塞壁に通過開口が生成されてもかかる事実を明確に認識することができない、という問題が存在する。
【０００６】
本発明は上記事実に鑑みてなされたものであり、その主たる技術的課題は、上記特許文献１に開示されている容器蓋或いは本発明者等が先に提案した容器蓋において、中栓に対して蓋本体を所定方向に回転して閉塞壁における破断可能薄肉ラインを破断し、かくして閉塞壁に通過開口を生成した場合には、かかる事実を明確に認識することができる、新規且つ改良された容器蓋を提供することである。
【課題を解決するための手段】
【０００７】
本発明者等は、鋭意検討の結果、中栓の装着壁には上方を向いた環状肩面が形成されていて、装着壁の、環状肩面よりも下方に位置する外周面は環状肩面よりも上方に位置する外周面よりも半径方向外方に位置し、蓋本体の嵌合壁は装着壁の環状肩面よりも上方の部分に嵌合される形態にすると共に、蓋本体の嵌合壁の外周面の少なくとも下部と装着壁の環状肩面よりも下方の外周面とに、夫々、対応する形状変形部及び／又は印刷が配設し、中栓に蓋本体を所要とおりに装着した状態における対応する形状変形部及び／又は印刷の相対的関係が、中栓に対して蓋本体が回転せしめられると変化せしめられ、これによって該中栓に対して該蓋本体が回転せしめられたことが明示されるようになすことによって、上記主たる技術的課題を達成することができることを見出した。
【０００８】
即ち、本発明によれば、上記主たる技術的課題を達成する容器蓋として、容器の口頸部に装着される合成樹脂製中栓と該中栓に装着される合成樹脂製蓋本体とから構成され、
該中栓は円形閉塞壁及び該閉塞壁の外周縁に接続された筒形装着壁を含み、該装着壁を容器の口頸部の外周面に嵌合せしめることによって容器の口頸部に装着され、該閉塞壁が容器の口頸部を閉塞し、
該蓋本体は円形覆壁及び該覆壁の外周縁に接続された筒形嵌合壁を含み、該嵌合壁を該中栓の該装着壁の外周面に嵌合することによって該中栓に回転自在に装着され、該覆壁が該中栓の該閉塞壁の上方に位置し、
該中栓の該閉塞壁には、破断可能薄肉ラインの破断によって部分的に分離されかつ変形される変形領域又は該破断可能薄肉ラインの破断によって完全に分離される分離領域が規定されており、
該変形領域又は該分離領域には被係止手段が付設されており、
該蓋本体の該覆壁には少なくとも１個の排出開口が形成されており、該覆壁の下面には該被係止手段と協働する係止手段が配設されており、
該中栓に該蓋本体を所要とおりに装着した状態において、該中栓に対して該蓋本体を所定方向に回転せしめると該係止手段が該被係止手段に係止せしめられ、該係止手段及び該被係止手段を介して該変形領域又は該分離領域に力が加えられ、該中栓の該破断可能薄肉ラインが破断されて該閉塞壁に通過開口が生成される容器蓋において、
該中栓の該装着壁には上方を向いた環状肩面が形成されていて、該装着壁の、該環状肩面よりも下方に位置する外周面は該環状肩面よりも上方に位置する外周面よりも半径方向外方に位置し、該蓋本体の該嵌合壁は該装着壁の該環状肩面よりも上方の部分に嵌合され、
該蓋本体の該嵌合壁の外周面の少なくとも下部と該装着壁の該環状肩面よりも下方の外周面とには、夫々、対応する形状変形部及び／又は印刷が配設されており、該中栓に該蓋本体を所要とおりに装着した状態における該対応する形状変形部及び／又は印刷の相対的関係は、該中栓に対して該蓋本体が回転せしめられると変化せしめられ、これによって該中栓に対して該蓋本体が回転せしめられたことが明示される、
ことを特徴とする容器蓋が提供される。
【０００９】
該中栓に該蓋本体を所要とおりに装着した状態において、該蓋本体の該嵌合壁の少なくとも下部の外周面と該中栓の該装着壁の該環状肩面よりも下方の外周面とは面一であるのが好適である。好ましくは、該中栓と該蓋本体とには、相互に協働して該中栓に対して該蓋本体が該所定方向に所定角度以上回転せしめられると、該中栓に対して該蓋本体を反対方向に回転せしめて該中栓に対して該蓋本体を元の状態に戻すことを阻止する阻止手段が配設されている。該蓋本体の該装着壁の外周面上端部にはヒンジ手段を介して外蓋が、該蓋本体の該覆壁を覆う閉位置と該蓋本体の該覆壁を露呈せしめる開位置との間を旋回自在に連結されており、該ヒンジ手段の周方向から周方向両側に９０度の角度間隔をおいた部位を周方向中心として周方向に３０乃至１００度の幅を有する２個の特定領域の各々において、該嵌合壁の外周面下部と該装着壁の該環状肩面よりも下方の外周面とに渡って連続して軸線方向に延び、該対応する形状変形部を構成する少なくとも１個の突条が配設されているのが好適である。該２個の特定領域の一方に配設されている該突条の数及び／又は幅は他方に配設されている該突条の数及び／又は幅と異なるのが好都合である。該蓋本体の該装着壁の外周面上端部にはヒンジ手段を介して外蓋が、該蓋本体の該覆壁を覆う閉位置と該蓋本体の該覆壁を露呈せしめる開位置との間を旋回自在に連結されており、該ヒンジ手段の周方向から周方向両側に９０度の角度間隔をおいた部位を周方向中心として周方向に３０乃至１００度の幅を有する２個の特定領域の各々において、該嵌合壁の外周面下部と該装着壁の該環状肩面よりも下方の外周面とに渡って連続して軸線方向に延び、該対応する形状変形部を構成する少なくとも１個の平坦面が配設されているのが好適である。該２個の特定領域の一方に配設されている該平坦面の数及び／又は幅は他方に配設されている該平坦面の数及び／又は幅と異なるのが好都合である。好適形態においては、該平坦面の、該所定方向に見て上流側縁には、該平坦面の上流側縁から半径方向内方に延びる付加平坦面が付設されている。他の好適形態においては、該中栓に該蓋本体を所要とおりに装着した状態における該ヒンジ手段の下方に位置する特定領域において、該嵌合壁の外周面下部には文字「閉」の上半部を示す印刷が配設され、該装着壁の該環状肩面よりも下方の外周面には文字「閉」の下半部を示す印刷が配設され、これらの印刷が該対応する印刷を構成し、更に該中栓が該蓋本体に対して該所定方向に所定角度回転せしめられると該嵌合壁の該特定領域に整合して位置する、該装着壁の該環状肩面よりも下方の外周面の付加特定領域には文字「開」の下半部を示す印刷が配設されている。
【発明の効果】
【００１０】
本発明の容器蓋においては、中栓に対して蓋本体を所定方向に回転して閉塞壁における破断可能薄肉ラインを破断し、かくして閉塞壁に通過開口を生成した場合には、対応する形状変形部及び／又は印刷の相対的関係が変化せしめられ、これによって中栓に対して蓋本体が回転せしめられたことが明示される。
【図面の簡単な説明】
【００１１】
【図１】本発明に従って構成された合成樹脂製容器蓋の好適実施形態における中栓の正面図。
【図２】図１に示す中栓の平面図。
【図３】図１に示す中栓の、図２に示す線Ａ−Ａに沿った断面図。
【図４】図１に示す中栓の斜面図。
【図５】本発明に従って構成された合成樹脂製容器蓋の好適実施形態における蓋本体の平面図。
【図６】図５に示す蓋本体の底面図。
【図７】図５に示す蓋本体の、図５に示す線Ｂ−Ｂに沿った断面図。
【図８】図５に示す蓋本体の一部を示す斜面図。
【図９】図１乃至図４に図示する中栓に図５乃至図８に図示する蓋本体を所要とおりに装着した状態を示す正面図。
【図１０】図１乃至図４に図示する中栓に図５乃至図８に図示する蓋本体を所要とおりに装着した状態を示す断面図。
【図１１】図９に図示する状態から、中栓に対して蓋本体を上方から見て反時計方向に所定角度回転せしめた状態を示す正面図。
【図１２】図９に図示する状態から、中栓に対して蓋本体を上方から見て反時計方向に所定角度回転せしめて、中栓の破断可能薄肉ラインを破断し変形領域を変形せしめて通過開口を生成した状態を示す断面図。
【図１３】形状変形部の変形例が配設された、本願発明にかかる中栓に蓋本体を所要とおりに装着した状態をしめす正面図。
【図１４】図１３に示す形状変形部の変形例が配設された、本願発明にかかる中栓に蓋本体を所要とおりに装着した状態をしめす平面図。
【図１５】形状変形部の他の変形例が配設された、本願発明にかかる中栓に蓋本体を所要とおりに装着した状態をしめす平面図。
【図１６】形状変形部に代えて印刷が配設された、本願発明にかかる中栓に蓋本体を所要とおりに装着した状態を示す側面図。
【図１７】図１６に図示する状態から、中栓に対して蓋本体を上方から見て反時計方向に所定角度回転せしめた状態を示す側面図。
【発明を実施するための形態】
【００１２】
以下、本発明に従って構成された容器蓋の好適実施形態を図示している添付図面を参照して、更に詳細に説明する。
【００１３】
本発明に従って構成された合成樹脂製容器蓋は、図１乃至図４に示す中栓２と図５乃至図８に示す蓋本体４とから構成されている。中栓２はポリエチレン又はポリプロピレンの如き適宜の合成樹脂から射出成形することができ、同様に蓋本体４もポリエチレン又はポリプロピレンの如き適宜の合成樹脂から射出成形することができる。
【００１４】
図１乃至図３を参照して説明すると、中栓２は円形閉塞壁６及びこの閉塞壁６の外周縁に接続された略円筒形状である装着壁８を含んでいる。図示の実施形態における閉塞壁６は、実質上水平に延在する中央主部１０、この中央主部１０の外周縁から略鉛直に上方に隆起する環状隆起部１２、及び環状隆起部１２の上端から半径方向外方に実質上水平に延出する環状外周縁部１４を有する。環状外周縁部１４の下面には、下方に垂下する環状シール片１６が付設されている。
【００１５】
上記閉塞壁６の中央主部１０には、閉塞壁６の中心点に関して点対称に２個の破断可能薄肉ライン１８が形成されていて、２個の弧状変形領域２０が規定されている。破断可能薄肉ライン１８の各々は略半円形状である破断開始端部１８ａと共に、破断開始端部１８ａの半径方向外側端に続いて延在する外側弧状部１８ｂ及び破断開始端部１８ａの半径方向内側端に続いて延在する内側弧状部１８ｃを有する。外側弧状部１８ｂは中央主部１０の外周縁部を略円弧状に延びている。内側弧状部１８ｃは破断開始端部１８ａの半径方向内側端部から直線状に延び、次いで中央主部１０の中央部を略円弧状に延び、全体として弧状をなしている。外側弧状部１８ｃの下流端と内側弧状部１８ｃの下流端とは相互に略半径方向に離隔されている。破断可能薄肉ライン１８によって規定される変形領域２０は、図２において（従って上方から見て）反時計方向に弧状に延在せしめられている。
【００１６】
上記変形領域２０の各々には被係止手段２２が配設されている。図示の実施形態においては、被係止手段２２の各々は、所定方向に見て変形領域２０の上流端部から上方に延出し次いで半径方向内方に延びる被係止片から構成、更に詳しくは、変形領域２０の上流端部上面から実質上鉛直に上方に延出する支柱部２２ａとこの支柱部２２ａの上端部から半径方向内方に実質上水平に延びる張出梁部２２ｂとを有する被係止片から構成されている。閉塞壁６の上面中心には実質上鉛直に上方に延出する共通支柱２４が配設されており、被係止手段２２の各々の張出梁部２２ｂの半径方向内側端は共通支柱２４に接続されており、従って被係止手段２２の各々の張出梁部２２ｂの半径方向内側端は共通支柱２４を介して相互に接続されている。所望ならば、共通支柱２４を省略して２個の支柱部２２ａから延出する張出梁部２２ｂを通接的に相互連結することもできる。しかしながら、開封の際の力の確実な伝達等の見地から共通支柱２４を配設するのが好ましい。
【００１７】
上記装着壁８の外周面上端部には半径方向外方に張り出した環状係止突条２６が形成されている。環状係止突条２６の周方向所定部位には、図１及び図２に図示する如く、位置決め溝２８が形成されている。装着壁８の内周面上部には上方を向いた環状肩面３０が形成されている。そして、装着壁８の内周面における環状肩面３０よりも下方で且つ上記閉塞壁６の環状外周縁部１４の上面よりも上方の領域には、図２と共に図４を参照することによって明確に理解される如く、略直方体形状の１個の突起３２と、この突起３２から夫々周方向両側に所要距離だけ離隔して配置されたラチェット爪３４及び３６が形成されている。ラチェット爪３４及び３６の各々は、図２において反時計方向に向かって漸次半径方向内方に傾斜して延びる緩やかな傾斜面３４ａ及び３６ａと反時計方向下流端に位置する切り立った係止面３４ｂ及び３６ｂとを有する。係止面３４ｂ及び３６ｂには時計方向に延びる切欠３４ｃ及び３６ｃが形成されている。装着壁８の内周面下端部には半径方向内方に突出する複数個の係止突条３８が配設されている。かかる係止突条３８は周方向に若干の間隔をおいて周方向に延在せしめられている。所望ならば、複数個の係止突条３８を形成することに代えて、周方向に連続して延びる環状突条を形成することもできる。
【００１８】
上記中栓２の装着壁８の軸線方向中間には上方を向いた環状肩面が形成されていて、装着壁８の、環状肩面よりも下方に位置する外周面は環状肩面よりも上方に位置する外周面よりも半径方向外方に位置することが重要である。図示の実施形態においては、図1と共に図３及び図４を参照することによって明確に理解される如く、装着壁８の下部外径は上部外径よりも大きく設定されており、装着壁８の軸線方向略中間部位には実質上水平に延在する上方に向いた環状肩面４０が形成されており、環状肩面４０よりも下方に位置する外周面８ａは環状肩面４０よりも上方に位置する外周面よりも半径方向外方に位置する。装着壁８の環状肩面４０よりも下方の外周面８ａには形状変形部及び／又は印刷が配設されていることが重要である。図示の実施形態においては、装着壁８の環状肩面４０よりも下方の外周面８ａには、図２において下方に位置する角度部位に周方向に間隔をおいて下端から上端まで連続して延びる２個の突条４１ａが形成されていると共に、図２において上方に位置する角度部位に周方向に等間隔をおいて下端から上端まで連続して延びる３個の突条４１ｂが形成されている（突条４１ａ及び４１ｂの位置関係については後に更に言及する）。
【００１９】
装着壁８には、その下端から上方に環状肩面４０の近傍までの深さを有し且つ周方向に延びる環状空隙３９が形成されている。かかる環状空隙３９に関連せしめて装着壁８の下半部には環状空隙３９から装着壁８の外周面まで延びる１個又は数個の切欠（図示していない）も形成されている。環状空隙３９及びこの環状空隙３９に関連して形成される切欠は、後述するとおりにして容器の口頸部に装着された中栓２を、容器の内容物を消費した後に所謂分別収集のために容器の口頸部から中栓２を充分容易に離脱せしめることを可能にするための周知の構成である（その詳細については、例えば特開平１０−５９４００号公報及び特開２００４−８３０９２号公報を参照されたい）。
【００２０】
図５乃至図８を参照して説明を続けると、図示の実施形態における蓋本体４は、本体部４２と共に外蓋４３を備えている。本体部４２は実質上水平に延在する円形覆壁４４及びこの覆壁４４の外周縁に接続された筒形嵌合壁４６を含んでいる。覆壁４４の中央部には、少なくとも１個、図示の実施形態においては２個、の排出開口４８が形成されている。排出開口４８の各々は中栓２に配設されている２個の変形領域２０に対応して（即ち、覆壁４４の中心点に関して点対称に）位置せしめられる。排出開口４８の各々は変形領域２０の形状に略合致した形状であり、図５において反時計方向に弧状に延在せしめられている。
【００２１】
覆壁４４の上面には、上記排出開口４８の半径方向外側にて上方に延出する略円筒形状の排出案内壁５０が形成されている。この排出案内壁５０の図５及び図７において右側に位置する部位は上方に向かって幾分右側に傾斜せしめられている。排出案内壁５０の上端部は、上方に向かって半径方向外方に図７において略半円形状に延出せしめられている。覆壁４４の上面には、更に、その外周縁部から上方に向かって半径方向外側に幾分傾斜して延びる環状係止突条５２も形成されている。覆壁４４の下面外周縁部には、下方に延出する円筒形状のシール片５４が形成されている。このシール片５４の内周面における周方向所定位置には、下方及び半径方向内方に突出する直方体形状である係止突起５６が形成されている。後に更に言及する如く、この係止突起５６は中栓２に配設されている上記突起３２並びにラチェット爪３４及び３６と協働する。
【００２２】
上記中栓２に形成されている２個の被係止手段２２に対応して、覆壁４４の下面には２個の係止手段５８が形成されている。図８を参照することによって明確に理解されるとおり、係止手段５８の各々は、覆壁４４の下面から下方に延び次いで所定方向に延びる係止片から構成、更に詳しくは、上記排出開口４８の間から下方に垂下する垂下柱部５８ａとかかる垂下柱部５８ａの下端から図５において反時計方向に弧状に延出する突出部５８ｂとを有する係止片から構成されている。直径方向に対向して位置する２個の垂下柱部５８ａの各々の横断面形状は略台形である。平面図である図５において、突出部５８ｂの各々の実質上全体は上記排出開口４８内に位置するのが金型成形の面からみて、好都合である。
【００２３】
実質上円筒形状でよい嵌合壁４６は、覆壁４４の外周縁から垂下せしめられている。嵌合壁４６の内周面には周方向に間隔をおいて周方向に延在する複数個の係合突条６２が形成されている。更に、嵌合壁４６の内周面下端部における周方向所定位置には、略直方体形状である位置決め突起６４が形成されている。後に更に言及する如く、この位置決め突起６４は中栓２に形成されている上記位置決め溝２８と協働する。所望ならば、上記中栓２の適宜の部位に位置決め突起を形成し、この位置決め突起と協働する位置決め溝を蓋本体４の適宜の部位に形成することもできる。嵌合壁４６の外周面の少なくとも下部には形状変形部又は印刷が配設されていることが重要である。図示の実施形態においては、図６において上方に位置する角度部位に周方向に間隔をおいて上端から下端まで連続して延びる２個の突条５９ａが形成され、図６において下方に位置する角度部位に周方向に等間隔をおいて上端から下端まで連続して延びる３個の突条５９ｂが形成されている（後に更に詳述する如く、突条５９ａは上記突条４１ａに対応し、突条５９ｂは上記突条４１ｂに対応する）。嵌合壁４６の外周面上部における特定角度位置には、円弧状に延在する没入部６０が形成されている。
【００２４】
図５乃至図８を参照して説明を続けると、上記外蓋４３は円形天面壁６６とこの天面壁６６の周縁から垂下する円筒形スカート壁６８とから構成されている。かような外蓋４３は、スカート壁６８の下端における周方向特定部位を上記本体部４２の嵌合壁の周方向特定部位にヒンジ手段７０を介して連結することによって、上記本体部４２に旋回自在に連結されている。本体部４２と外蓋４３とから構成されている蓋本体６は図５乃至図７に実線で図示する状態で成形され、本体部４２に対して外蓋４３は図５乃至図７に実線で図示する開位置と図７に二点鎖線で示す閉位置との間を旋回動自在である。それ自体は周知の形態でよいヒンジ手段７０は、本体部４２の嵌合壁４６に形成されている上記没入部６０の直径方向反対側に位置している。天面壁６６の内面には円筒形状のシール片７２が形成されている。天面壁６６の内面には、更に、図５及び図７にて右半部においてシール片７２の半径方向外側を半円形状に延びる２条の凸状７４も形成されている。スカート壁６８の内周面下部には環状係止溝７６が形成されている。また、スカート壁６８の内周面には、図７にて右半部において軸線方向中間部を半円弧状に延びる２条の凸状７８も形成されている。スカート壁６８の外周面には、上記ヒンジ手段７０に対して直径方向反対側に位置する弧状鍔８０が形成されている。図５及び図６と共に図９を参照することによって理解される如く、図６において上方に位置する部位においてスカート壁６８の外周面下端部には、周方向に間隔を置いて２個の突条８１ａが形成され、図６において下方に位置する角度部位においてスカート壁６８の外面下端部には周方向に等間隔をおいて３個の突条８１ｂが形成されている。突条８１ａ及び８１ｂの各々の上端は上方に向かって半径方向内方に傾斜せしめられている。図９及び図１１を参照することによって理解される如く、蓋本体４の本体部４２に対して外蓋４３が閉位置にせしめられると、突条８１ａ及び８１ｂは、夫々、本体部４２の嵌合壁４６の外周面に形成されている上記突条５９ａ及び５９ｂに整合せしめられる。後に言及する如く中栓２に対して蓋本体４を回転する際に、突条８１ａ及び８１ｂと共に突条５９ａ及び５９ｂに指を掛けることができ、本体部４２に対して外蓋４３を相対的に変位せしめてしまうことが回避される。スカート壁６８の先端面即ち下端面には２個の比較的長い弧状突条８２と２個の比較的短い弧状突条８４が形成されている。外蓋４３が図７に二点鎖線で示す閉位置にせしめられると、シール片７２の外周面が本体部４２における排出案内壁５０の内周面に密接せしめられる。そしてまた、環状係止溝７６が本体部４２の環状係止突条５２に係止せしめられ、かくして外蓋４３が閉位置に解除自在に係止せしめられる。弧状突条８２及び８４は本体部４２の覆壁４４の上面周縁部に密接せしめられる。
【００２５】
上述したとおりの中栓２と蓋本体４は、図９及び図１０に図示するとおりに組み合わされる。詳述すると、外蓋４３が閉位置にせしめられている蓋本体４における本体部４２を、中栓２に対して強制的に下降せしめて、本体部４２の嵌合壁４６を中栓２の装着壁８の外周面に嵌合せしめる。この際には、嵌合壁４６の内周面下端部に形成されている位置決め突起６４（図６）の周方向位置を装着壁８の外周面上端部に形成されている位置決め溝２８（図１)の周方向位置に合致せしめて位置決め突起６４を位置決め溝２８内に進入せしめ、これによって中栓２に対する蓋本体４の相対的角度位置を規制する。図９及び図１０に図示する状態まで中栓２に対して蓋本体４を下降せしめると、嵌合壁４６の内周面に形成されている係合突条６２が装着壁８の外周面に形成されている係止突条２６に係止せしめられ、かくして中栓２に対して蓋本体４が回転自在に装着される。蓋本体４のシール片５４は中栓２の装着壁８の内周面上端部に密接せしめられる。蓋本体４の嵌合壁４６は装着壁８の環状肩面４０よりも上方の部分に嵌合され、嵌合壁４６の下端は装着壁８の環状肩面４０よりも若干上方に位置する。蓋本体４の嵌合壁４６の外周面と中栓２の装着壁８の環状肩面４０よりも下方の外周面８ａとは面一にせしめられる。そして、上方から見てヒンジ手段７０の周方向中心から時計方向に９０度の角度位置をおいた部位を周方向中心として周方向に略３０乃至９０度の幅を有する特定領域８６ａに、装着壁８の外周面に形成された突条４１ａ及び嵌合壁の外周面に形成された突条５９ａが位置せしめられ、２個の突条４１ａ及び突条５９ａは嵌合壁４６の外周面と装着壁８の環状肩面４０よりも下方の外周面８ａとに渡って実質上連続して軸線方向に延在する。また、上方から見てヒンジ手段７０の周方向中心から反時計方向に９０度の角度位置をおいた部位を周方向中心として周方向に略３０乃至９０度の幅を有する特定領域８６ｂ（図９及び図１１には図示していない）に、装着壁８の外周面に形成された突条４１ｂ及び嵌合壁の外周面に形成された突条５９ｂが位置せしめられ、３個の突条４１ｂ及び突条５９ｂは嵌合壁４６の外周面と装着壁８の環状肩面４０よりも下方の外周面とに渡って連続して軸線方向に延びている。
【００２６】
図２に二点鎖線で示す如く、中栓２に対して蓋本体４を所要とおりに装着した状態において、蓋本体４のシール片５４に形成されている係止突起５６は、中栓２の装着壁８の内周面に形成されている突起３２に対して、図２において反時計方向下流側に隣接して位置する。突起３２と係止突起５６とは協働して、中栓２に対して蓋本体４が図２において時計方向（図９において上方から見て時計方向）に回転するのを阻止する。蓋本体４における係止手段５８の各々の突出部５８ｂは、中栓２における被係止手段２２の各々の張出梁部２２ｂの下方で且つ図２において反時計方向上流側に幾分離間して位置する（図示の実施形態においては、成形型等の都合上、一対の張出梁部２２ｂは完全に点対称ではなく若干ずらして配置され、これに対応して一対の突出部５８ｂも完全に点対称ではなく若干ずらして配置されている）。
【００２７】
図１０には、本発明に従って構成された容器蓋が適用される容器の口頸部９０も二点鎖線で図示されている。適宜の合成樹脂或いはガラスから形成することができる容器の口頸部９０は全体として円筒形状であり、その外周面には環状係止溝９２が形成されている。図１０に明確に図示する如く、容器の口頸部９０を中栓２の装着壁８の内周面下半部とシール片１６の外周面との間に受け入れることによって、容器の口頸部９０に容器蓋が装着される。中栓２の装着壁８の内周面下端部に形成されている係止突条３８は口頸部９０の係止溝９２に係止せしめられ、中栓２のシール片１６は口頸部９０の内周面に密接せしめられる。
【００２８】
容器内に収容されている調味液の如き内容物を消費する際には、中栓２に対して蓋本体４を図９において上方から見て反時計方向（図２において反時計方向）に回転せしめる。中栓２に対して蓋本体４が所定角度α（図２）回転せしめられると、蓋本体４に配設されている２個の係止手段５８の各々が、中栓２に配設されている２個の被係止手段２２の各々に係止せしめられる。更に詳しくは、係止手段５８の突出部５８ｂが被係止手段２２の張出梁部２２ｂの下方に進入し、係止手段５８の垂下柱部５８ａが被係止手段２２の張出梁部２２ｂに当接せしめられる。所定角度αは５０乃至６０度程度であるのが好都合である。中栓２に対して蓋本体４が所定角度αを超えて更に回転せしめられると、被係止手段２２を介して破断可能薄肉ライン１８の各々に応力が加えられ、破断可能薄肉ライン１８がその破断開始端部１８ａから破断され始める。
【００２９】
図示の実施形態においては、図２に二点鎖線で示す如く、中栓２に対して蓋本体４が上記所定角度αよりも０乃至２０度程度小さい角度β（０度≦α−β≦２０度)だけ回転せしめられると、蓋本体４に配設されている係止突起５６が中栓２に配設されているラチェット爪３４を弾性的に乗り越え、中栓２に対して蓋本体４が図９において上方から見て時計方向（図２において時計方向）に回転することは係止突起５６とラチェット爪３４の切り立った係止面３４ｂとの協働によって阻止される。従って、係止突起５６とラチェット爪３４とは協働して阻止手段を構成する。
【００３０】
上記所定角度αを超える蓋本体４の回転が進行するに従って、破断可能薄肉ライン１８の破断が破断開始端部１８ａから外側弧状部１８ｂ及び内側弧状部１８ｃに進行する。そして、中栓２に対する蓋本体４の回転が角度γ（図２）まで進行すると、図２に二点鎖線で示す如く、蓋本体４に配設されている係止突起５６が中栓２に配設されている突起３２に当接し、中栓２に対して蓋本体４が更に反時計方向に回転することが阻止される。従って、係止突起５６と突起３２は協働して蓋本体４の回転を角度γに制限する。上記角度γは３００乃至３２０度程度であるのが好都合である。中栓２に対して蓋本体４が上記角度γ回転せしめられると、図１２に図示する如く、破断可能薄肉ライン１８の各々は、夫々の外側弧状部１８ａ及び内側弧状部１８ｂの実質上下流端まで破断され、中栓２の閉塞壁６に配設されている変形領域２０は破断可能薄肉ライン１８の破断の進行に応じて上方及び半時計方向下流に向けて変形されてロール状に変形され、閉塞壁６には２個の通過開口９０（図１２）が生成される。破断可能薄肉ライン１８の外側弧状部１８ａの下流端と内側弧状部１８ｂの下流端とは離隔されており、両者間が破断されることはなく、変形領域２０が閉塞壁６から離脱されることはない。所望ならば、変形領域２０に代えて、破断可能薄肉ライン１８が破断せしめられることにより、閉塞壁６から完全に分離される分離領域であってもよい。
【００３１】
中栓２に蓋本体４を所要とおりに装着した状態において対応する形状変形部（即ち突条４１ａと５９ａ、及び、４１ｂと５９ｂ）の相対的関係は、中栓２に対して蓋本体４が回転せしめられると変化せしめられ、これによって中栓２に対して蓋本体４が回転せしめられたことが明示されることが重要である。図示の実施形態においては、図９に示す状態においては、特定領域８６ａにおいて突条４１ａと５９ａが、特定領域８６ｂにおいて突条４１ｂと５９ｂが、夫々、嵌合壁４６の外周面と装着壁８の環状肩面４０よりも下方の外周面８ａとに渡って連続して軸線方向に延びている。中栓２に対して蓋本体４を角度γ回転せしめると、特定領域８６ａにおいて突条５９ａは突条４１ａよりも上方から見て幾分時計方向側（図１１参照）に、特定領域８６ｂにおいて突条５９ａは突条４１ｂよりも上方から見て幾分時計方向に、夫々変位せしめられる。換言すると、突条４１ａと５９ａとが周方向に変位し、突条４１ｂと５９ｂとも周方向に変位して位置し、これによって中栓２に対して蓋本体４が回転せしめられたことが明示される。
【００３２】
図示の実施形態においては、中栓２に対して蓋本体４が上記角度γまで回転せしめられる際には、蓋本体４に配設されている係止突起５６が中栓２に配設されているラチェット爪３６を弾性的に乗り越える。それ故に、中栓２に対する蓋本体４の時計方向への回転は、係止突起５６とラチェット爪３６の切り立った係止面３６ｂとの協働によって阻止される。
【００３３】
上述したとおりにして中栓２の閉塞壁６に通過開口９４が生成された後においては、蓋本体４の外蓋４３を図１２に二点鎖線で示す位置まで旋回せしめ、次いで容器を傾動せしめると、中栓２の閉塞壁６に生成された通過開口９４及び蓋本体４に配設されている排出開口４８を通して容器の内容物が流出され、蓋本体４の排出案内壁５０に案内されて排出される。
【００３４】
図１３及び図１４には形状変形部の変形例が図示されている。図１３及び１４に示す変形例においては、特定領域１８６ａにおいて装着壁１０８の環状肩面１４０よりも下方の外周面１０８ａに軸線方向に延びる３個の平坦面１４１ａが形成されると共に嵌合壁１４６の外周面に軸線方向に延びる３個の平坦面１５９ａが形成され、そしてまた特定領域１８６ｂにおいては、装着壁１０８の環状肩面１４０よりも下方の外周面１０８ａに軸線方向に延びる４個の平坦面１４１ｂが形成されると共に嵌合壁１４６の外周面に軸線方向に延びる４個の平坦面１５９ｂが形成されている。特定領域１８６ａに配設されている平坦面１４１ａ及び１５９ａと特定領域１８６ｂに配設されている平坦面１４１ｂ及び１５９ｂとは、数及び幅が相違せしめられている。所要とおりに中栓１０２に蓋本体１０４を組み合わせると、特定領域１８６ａにおいて平坦面１４１ａと平坦面１５９ａが、特定領域１８６ｂにおいて平坦面１４１ｂと平坦面１５９ｂが、各々軸線方向に連続して延在する。図１５に図示する変形例においては、特定領域２８６ａにおいて装着壁の環状肩面よりも下方の外周面に軸線方向に延びる３個の平坦面２４１ａが形成されると共に嵌合壁の外周面に対応して軸線方向に延びる３個の平坦面２５９ａが形成され、そしてまた特定領域２８６ｂにおいては、装着壁の環状肩面よりも下方の外周面に軸線方向に延びる３個の平坦面２４１ｂが形成されると共に嵌合壁の外周面に対応して軸線方向に延びる３個の平坦面２５９ｂが形成されている。平坦面２４１ａ、２５９ａ、２４１ｂ及び２５９ｂの各々には、上記所定方向（図１５において反時計方向）上流側縁に、平坦面２４１ａ、２５９ａ、２４１ｂ及び２５９ｂの各々の上流端縁から半径方向内方に延びる付加平坦面２９０ａ及び２９０ｂが付設されている。かかる付加平坦面２９０ａ及び２９０ｂは中栓に対して蓋本体を所定方向に回転せしめる際に、指を係止するための面を提供する。
【００３５】
図１６及び図１７には形状変形部に代えて印刷が配設された変形例が図示されている。中栓３０２に蓋本体３０４を所要とおりに装着した状態におけるヒンジ手段の周方向中心と直径方向反対に位置する特定領域３８６において、嵌合壁３４６の外周面下部には文字「閉」の上半部を示す印刷３５９が配設され、装着壁３０８の環状肩面３４０よりも下方の外周面３０８ａには文字「閉」の下半部を示す印刷３４１ａが配設されている。更に、蓋本体３０６が中栓３０２に対して反時計方向にγ回転せしめられると嵌合壁３４６の特定領域３８６に整合して位置する、装着壁３０６の環状肩面３４０よりも下方の外周面３０８ａの付加特定領域３８７には文字「開」の下半部を示す印刷３４１ｂが配設されている。即ち、中栓３０２に対する蓋本体３０４の上記回転前においては、印刷３５９と印刷３４１ａの組み合わせより容器が未開封であることを示す文字「閉」が特定領域３８６に表示され（図１６参照）、上記回転が完了することにより閉塞壁に通過開口が形成せしめられた後においては、印刷３５９と印刷３４１ｂの組み合わせにより容器が開封済みであることを示す文字「開」が付加特定領域３８７に表示される（図１７参照）。
【符号の説明】
【００３６】
２：中栓
４：蓋本体
６：閉塞壁
８：装着壁
１８：破断可能薄肉ライン
２０：変形領域
２２：被係止手段
４１ａ：突条（形状変形部）
４１ｂ：突条（形状変形部）
４２：蓋本体の本体部
４３：蓋本体の外蓋
４４：覆壁
４６：嵌合壁
４８：排出開口
５８：係止手段
５９ａ：突条（形状変形部）
５９ｂ：突条（形状変形部）
８１ａ：突条（形状変形部）
８１ｂ：突条（形状変形部）
８６ａ：特定領域
８６ｂ：特定領域
９０：容器の口頸部
９４：通過開口
１４１ａ：平坦面（形状変形部）
１４１ｂ：平坦面（形状変形部）
１５９ａ：平坦面（形状変形部）
１５９ｂ：平坦面（形状変形部）
１８６ａ：特定領域
１８６ｂ：特定領域
２８６ａ：特定領域
２８６ｂ：特定領域
２４１ａ：平坦面（形状変形部）
２４１ｂ：平坦面（形状変形部）
２９０ａ：付加平坦面
２９０ｂ：付加平坦面
３４１ａ：印刷
３４１ｂ：印刷
３５９：印刷
３８６：特定領域
３８７：付加特定領域
【図１】
2014189331.tif 000003
【図２】
2014189331.tif 000004
【図３】
2014189331.tif 000005
【図４】
2014189331.tif 000006
【図５】
2014189331.tif 000007
【図６】
2014189331.tif 000008
【図７】
2014189331.tif 000009
【図８】
2014189331.tif 000010
【図９】
2014189331.tif 000011
【図１０】
2014189331.tif 000012
【図１１】
2014189331.tif 000013
【図１２】
2014189331.tif 000014
【図１３】
2014189331.tif 000015
【図１４】
2014189331.tif 000016
【図１５】
2014189331.tif 000017
【図１６】
2014189331.tif 000018
【図１７】
2014189331.tif 000019